(57)【要約】      （修正有）【課題】布ヒータを含むヒートジャケットに着脱容易に取り付けられる電気コネクタ及びその電気コネクタが取り付けられたヒートジャケットを提供する。【解決手段】ジャケット側に取り付けられる凹形状の第１部材１１と、第１部材１１の凹部内に着脱可能に装着される第２部材２１とで構成された電気コネクタ１０であって、第１部材１１は、接合部と第１電極と第１着磁部材とを少なくとも有し、第２部材２１は、第２電極と第２着磁部材とコントローラと電源コネクタ端子部とを少なくとも有している。第１部材１１の内壁面が第１テーパ部１５ａを有し、第２部材２１の外周面が第２テーパ部２５ａを有し、第１部材１１と第２部材２１とは、第１着磁部材と第２着磁部材とで着磁誘導された後に両方のテーパ部１５ａ，２５ａが嵌め合わされる。この電気コネクタ１０は、オートバイの転倒時等に容易に分離し易い。【選択図】図１
2020072033.tif 000002
【特許請求の範囲】
【請求項１】
ジャケット側に取り付けられる凹形状の第１部材と、該第１部材の凹部内に着脱可能に装着される第２部材とで構成された電気コネクタであって、
前記第１部材は、前記凹部の反対面に設けられて電線を接合する接合部と、前記凹部の内壁面に設けられて前記接合部に電気的に導通する第１電極と、前記凹部の反対面に設けられた第１着磁部材とを少なくとも有し、前記第２部材は、前記第１電極に対応した位置に設けられた第２電極と、前記第１着磁部材に着磁する第２着磁部材と、コントローラと、電源コネクタ端子部とを少なくとも有し、
前記第１部材の前記凹部の内壁面が、一方向に拡開する第１テーパ部を有し、前記第２部材の外周面が、前記第１テーパ部と同じ又は略同じ形状の第２テーパ部を有し、前記第１部材と前記第２部材とは、前記第１着磁部材と前記第２着磁部材とで着磁誘導された後に両方のテーパ部が嵌め合わされる、ことを特徴とする、ヒートジャケット用電気コネクタ。
【請求項２】
前記第１部材が有する第１テーパ部は、前記第１部材の凹部の内壁面の一部又は全部を構成し、前記第２部材が有する第２テーパ部も、前記第２部材の外周面の一部又は全部を構成する、請求項１に記載のヒートジャケット用電気コネクタ。
【請求項３】
前記第１着磁部材が永久磁石であり、前記第２着磁部材が磁性材料である、請求項１又は２に記載のヒートジャケット用電気コネクタ。
【請求項４】
前記第１電極及び前記第２電極は、それぞれ少なくとも４つの電極を有し、それぞれＤＣプラス電極、ＤＣマイナス電極、温度センサ用電極、及び、電源電極として機能する、請求項１〜３のいずれか１項に記載のヒートジャケット用電気コネクタ。
【請求項５】
前記第２部材は、操作スイッチを有する、請求項１〜４のいずれか１項に記載のヒートジャケット用電気コネクタ。
【請求項６】
前記第１部材の前記接合部が、前記電線を接合するカシメ構造である、請求項１〜５のいずれか１項に記載のヒートジャケット用電気コネクタ。
【請求項７】
布ヒータと、該布ヒータを加熱するために設けられた電線と、該電線に電力を供給して前記布ヒータを加温するための電気コネクタとを少なくとも有し、前記電気コネクタが、請求項１〜６のいずれか１項に記載のヒートジャケット用電気コネクタである、ことを特徴とするヒートジャケット。
【請求項８】
オートバイ用ジャケットである、請求項７に記載のヒートジャケット。
【発明の詳細な説明】
【技術分野】
【０００１】
本発明は、ヒートジャケット用電気コネクタ及びそれを備えたヒートジャケットに関する。さらに詳しくは、布ヒータを含むヒートジャケットに着脱容易に取り付けられる電気コネクタと、その電気コネクタが取り付けられたヒートジャケットに関する。
【背景技術】
【０００２】
布ヒータは、布地に電極が設けられた面状のヒータである。こうした布ヒータをジャケットに装着したヒートジャケットでは、そのヒートジャケットにバッテリーやコントローラが取り付けられている例があり、重さ、取り回し、操作性等に難点があった。こうした問題に対し、バッテリーを別体としたヒートジャケットも検討されており、バッテリーと、ヒートジャケットに取り付けられたコントローラとの電気的接続は、市販のＤＣプラグとＤＣジャックからなる雄雌型のコネクタが利用されている。しかし、そうしたコネクタは、真っ直ぐに引き抜かれる場合は直ぐに抜けるが、斜め方向の負荷が掛かった場合には抜けにくくなるという難点がある。
【０００３】
ヒートジャケットを例えばオートバイ用ジャケットとして採用した場合、オートバイが転倒した場合のような非常時には、斜め方向の負荷がコネクタに掛かる可能性がある。そのような場合、コネクタが直ぐに抜けないおそれがある。そうした着脱困難な状況は、電力をオートバイのバッテリーから得ている場合に、オートバイとジャケットとが容易に分離されないおそれがあり、安全性の点で課題がある。
【０００４】
また、コントローラをヒートジャケットに装着する作業も煩雑であり、製造工程で電子部品をジャケットに縫製する特別な作業が必要であるとともに、出荷時にはコントローラ縫製済ジャケットを個々に検査する必要がある。さらに、一度縫い付けると取り外しが容易ではなく、コントローラ故障時の修理が困難である。また、機能性を高めた高機能コントローラへの交換も容易ではないという難点もある。
【０００５】
なお、特許文献１〜３は本発明の要旨とは直接関係しないが、例えば特許文献１は、本出願人が提案した伸縮性に優れる布ヒータであり、布地に電極部を設け、その布地は、導電糸で複数のループを形成し、隣り合う導電糸のループ同士を絡めるように編まれている。特許文献２は、バイク用ジャケットの過去の例を示すものであり、特許文献３は、電熱保温服の過去の例を示すものである。
【先行技術文献】
【特許文献】
【０００６】
【特許文献１】ＷＯ２０１３／０８５０５１
【特許文献２】特開２００２−８８５３１号公報
【特許文献３】実用新案登録第３１９８９５７号
【発明の概要】
【発明が解決しようとする課題】
【０００７】
本発明は、上記課題を解決したものであって、その目的は、布ヒータを含むヒートジャケットに着脱容易に取り付けられる電気コネクタを提供することにある。さらに、その電気コネクタが取り付けられたヒートジャケットを提供することにある。
【課題を解決するための手段】
【０００８】
（１）本発明に係るヒートジャケット用電気コネクタは、ジャケット側に取り付けられる凹形状の第１部材と、該第１部材の凹部内に着脱可能に装着される第２部材とで構成された電気コネクタであって、
前記第１部材は、前記凹部の反対面に設けられて電線を接合する接合部と、前記凹部の内壁面に設けられて前記接合部に電気的に導通する第１電極と、前記凹部の反対面に設けられた第１着磁部材とを少なくとも有し、前記第２部材は、前記第１電極に対応した位置に設けられた第２電極と、前記第１着磁部材に着磁する第２着磁部材と、コントローラと、電源コネクタ端子部とを少なくとも有し、
前記第１部材の前記凹部の内壁面が、一方向に拡開する第１テーパ部を有し、前記第２部材の外周面が、前記第１テーパ部と同じ又は略同じ形状の第２テーパ部を有し、前記第１部材と前記第２部材とは、前記第１着磁部材と前記第２着磁部材とで着磁誘導された後に両方のテーパ部が嵌め合わされる、ことを特徴とする。
【０００９】
この発明によれば、（ａ）第１部材と第２部材とが着磁誘導された後に両方のテーパ部が嵌め合わされるので、第１部材と第２部材とを着脱可能に一体化することができる。一体化した電気コネクタは、両方の着磁部材間の着磁力と両方のテーパ部の嵌め合いとで着脱可能に接続されているので、その場から離れる際には第１部材と第２部材とを手で簡単に離脱させることができ、非常時には負荷によって容易に外れやすく、利便性と安全性を併せ持っている。（ｂ）さらに、第１部材はコントローラもバッテリーも備えず、その第１部材に嵌め合わされる第２部材もバッテリーを備えないので、重さ、取り回し、操作性等の難点がない。（ｃ）また、第１部材と第２部材とが着脱可能に設けられているので、例えば斜め方向の負荷が掛かった場合であっても、第１部材と第２部材との離脱は容易であり、例えばオートバイが転倒した場合のような非常時であっても第１部材１１と第２部材２１とが容易に分離でき、安全性の点で改善されている。（ｄ）また、ジャケットには、第１部材だけを縫製すればよく、第２部材は縫製されないので、コントローラをヒートジャケットに装着する作業は不要となり、出荷時の検査も第２部材だけで足り、ジャケット毎に検査する必要がない。（ｅ）また、第２部材は、コントローラを有するがバッテリーは備えないので、第２部材のコントローラが仮に故障したり、機能性を高めた高機能コントローラに交換したい場合には、第２部材だけを交換することで対応でき、極めて便利である。
【００１０】
本発明に係るヒートジャケット用電気コネクタにおいて、前記第１部材が有する第１テーパ部は、前記第１部材の凹部の内壁面の一部又は全部を構成し、前記第２部材が有する第２テーパ部も、前記第２部材の外周面の一部又は全部を構成する。この発明によれば、第１部材と第２部材のいずれのテーパ部も、一部又は全部のいずれであってもよく、相互に嵌め合わされるように構成することができる。
【００１１】
本発明に係るヒートジャケット用電気コネクタにおいて、前記第１着磁部材が永久磁石であり、前記第２着磁部材が磁性材料である。この発明によれば、小型の永久磁石を第１部材に設けるので、第２部材には安価な鉄板等を使用することができる。
【００１２】
本発明に係るヒートジャケット用電気コネクタにおいて、前記第１電極及び前記第２電極は、それぞれ少なくとも４つの電極を有し、それぞれＤＣプラス電極、ＤＣマイナス電極、温度センサ用電極、及び、電源電極として機能する。この発明によれば、これら各電極により、ヒートジャケット用電気コネクタとして好ましく機能させることができる。
【００１３】
本発明に係るヒートジャケット用電気コネクタにおいて、前記第２部材は、操作スイッチを有する。この発明によれば、第２部材が例えばＯＮＯＦＦ等の操作スイッチを有するので、手が届きやすいジャケット装着部で容易に操作することができる。
【００１４】
本発明に係るヒートジャケット用電気コネクタにおいて、前記第１部材の前記接合部が、前記電線を接合するカシメ構造である。この発明によれば、ジャケット内に縫製された電極の端部を確実に接合することができる。
【００１５】
（２）本発明に係るヒートジャケットは、布ヒータと、該布ヒータを加熱するために設けられた電線と、該電線に電力を供給して前記布ヒータを加温するための電気コネクタとを少なくとも有し、前記電気コネクタが、上記本発明に係るヒートジャケット用電気コネクタであることを特徴とする。
【００１６】
本発明に係るヒートジャケットにおいて、オートバイ用ジャケットである。
【発明の効果】
【００１７】
本発明によれば、布ヒータを含むヒートジャケットに着脱容易に取り付けられる電気コネクタ、及びその電気コネクタが取り付けられたヒートジャケットを、従来の課題を解決した態様で提供することができる。
【図面の簡単な説明】
【００１８】
【図１】本発明に係るヒートジャケット用電気コネクタを示す外観構成図である。
【図２】第１部材と第２部材の嵌合態様を順次示す説明図である。
【図３】第１部材の説明図であり、（Ａ）は平面図であり、（Ｂ）は背面図であり、（Ｃ）はＣ−Ｃ端面から見た図である。
【図４】第１部材の接合部の説明図と、電線が接合部でカシメられた態様の説明図である。
【図５】第２部材の説明図であり、（Ａ）は平面図であり、（Ｂ）は背面図であり、（Ｃ）は側面図である。
【図６】第１部材に設けられた窪み部と第２部材に設けられた突起部との係合態様の説明図である。
【図７】第２部材に設けられた電源コネクタ端子部とＤＣコネクタの説明図である。
【図８】本発明に係るヒートジャケット用電気コネクタの他の例を示す平面図である。
【図９】ヒートジャケットに電気コネクタが装着された態様の説明図である。
【図１０】ジャケットに縫製された布ヒータの一例を示す構成図である。
【発明を実施するための形態】
【００１９】
以下、図面を参照しながら本発明の実施形態について説明する。なお、本発明は、以下に説明する実施形態及び図面に記載した形態と同じ技術的思想の発明を含むものであり、本発明の技術的範囲は実施形態の記載や図面の記載のみに限定されるものでない。
【００２０】
［ヒートジャケット用電気コネクタ］
本発明に係るヒートジャケット用電気コネクタ１０は、図１及び図２に示すように、ジャケット側に取り付けられる凹形状の第１部材１１と、第１部材１１の凹部１２内に着脱可能に装着される第２部材２１とで構成された電気コネクタ１０である。この電気コネクタ１０において、第１部材１１は、接合部１４と第１電極１６と第１着磁部材１７とを少なくとも有しており、第２部材２１は、第２電極２６と第２着磁部材２７とコントローラ２８と電源コネクタ端子部２９とを少なくとも有している。第１部材１１の内壁面１５が第１テーパ部１５ａを有し、第２部材２１の外周面２５が第２テーパ部２５ａを有し、第１部材１１と第２部材２１とは、図１及び図２に示すように、第１着磁部材１７と第２着磁部材２７とで着磁誘導された後に両方のテーパ部１５ａ，２５ａが嵌め合わされる。
【００２１】
本発明は、（ａ）第１部材１１と第２部材２１とが着磁誘導された後に両方のテーパ部１５ａ，２５ａが嵌め合わされるので、第１部材１１と第２部材２１とを着脱可能に一体化することができる。一体化した電気コネクタ１０は、両方の着磁部材１７，２７間の着磁力と両方のテーパ部１５ａ，２５ａの嵌め合いとで着脱可能に接続されているので、その場から離れる際には第１部材１１と第２部材２１とを手で簡単に離脱させることができ、非常時には負荷によって容易に外れやすく、利便性と安全性を併せ持っている。（ｂ）さらに、第１部材１１はコントローラもバッテリーも備えず、その第１部材１１に嵌め合わされる第２部材２１もバッテリーを備えないので、重さ、取り回し、操作性等の難点がない。（ｃ）また、第１部材１１と第２部材２１とが着脱可能に設けられているので、例えば斜め方向の負荷が掛かった場合であっても、第１部材１１と第２部材２１との離脱は容易であり、例えばオートバイが転倒した場合のような非常時であっても第１部材１１と第２部材２１とが容易に分離でき、安全性の点で改善されている。（ｄ）また、ジャケットには、第１部材１１だけを縫製すればよく、第２部材２１は縫製されないので、コントローラをヒートジャケットに装着する作業は不要となり、出荷時の検査も第２部材２１だけで足り、ジャケット毎に検査する必要がない。（ｅ）また、第２部材２１は、コントローラ２８を有するがバッテリーは備えないので、第２部材２１のコントローラ２８が仮に故障したり、機能性を高めた高機能コントローラ２８に交換したい場合には、第２部材２１だけを交換することで対応でき、極めて便利である。
【００２２】
以下、各構成要素を詳しく説明する。
【００２３】
＜第１部材＞
第１部材１１は、その裏面がジャケット１側に取り付けられる薄型部材である。その厚さは特に限定されないが、５ｍｍ程度の薄い部材であれば、装着時にあまり邪魔にならないので好ましい。第１部材１１は、電気コネクタ１０をジャケット１に装着する際にジャケット側に取り付けられる。そうした取り付けは、図９に示すように、図４に示す第１部材の反対面１３と、その反対面１３に取り付けられる蓋板（図示しない）とで、ジャケットの任意の位置の取付布部４を挟んで行われる。取り付けられた第１部材１１に第２部材２１が嵌め合わされることにより、一体化した電気コネクタ１０として用いられる。
【００２４】
（凹部形状）
第１部材１１は、その中央領域に凹部１２を有する凹形状になっている。凹部１２には、第２部材２１が着脱可能に嵌め合わされる。嵌め合わせを行うため、第１部材１１の凹部１２の内壁面１５は、図３（Ａ）に示すように、Ｖ字状又は略Ｖ字状になるように一方向に拡開するテーパ部（第１テーパ部１５ａという。）を有している。この第１テーパ部１５ａは、図３（Ａ）に示すように内壁面１５の全部であってもよいし、図８（Ａ）（Ｂ）に示すように内壁面１５の上下一方の側を除く部分（一部ともいう。）に設けられていてもよい。第１テーパ部１５ａのテーパ角度は特に限定されないが、例えば５°〜２０°程度の範囲内が好ましい。第１テーパ部１５ａは、図３に示すように、対向する２つの内壁面１５，１５の両方であってもよいが、一方の内壁面１５だけであってもよい。その理由は、本発明では、拡開するテーパ部が全体形状として有することが重要であり、全体としてＶ字状又は略Ｖ字状となるテーパ形状であれば、図２（Ａ）〜（Ｃ）に示すように、同じテーパ形状の第２部材２１を容易に凹部内を滑らせながら嵌め合わせることができるためである。なお、図８（Ａ）では、第１テーパ部１５ａは下端側の平行部又は略平行部を除く部分に設けられており、図８（Ｂ）では、第１テーパ部１５ａは上端側の平行部又は略平行部を除く部分に設けられている。
【００２５】
（第１電極）
第１電極１６は、凹部１２の内壁面１５に露出して設けられて、接合部１４に電気的に導通する。第１電極１６の数は必要に応じて設けられるが、図３に示すように、対向する内壁面１５，１５それぞれに少なくとも各２つ設けられていることが好ましい。第１電極１６として、例えば、ＤＣプラス電極、ＤＣマイナス電極、温度センサ用電極、及び、電源電極の少なくとも４つを好ましく挙げることができる。これら各電極により、ヒートジャケット用電気コネクタとして好ましく機能させることができる。
【００２６】
第１電極１６は、内壁面１５に少なくとも２つ設けられる。電極間は一定の間隔（例えば５ｍｍ以上等）で設けられていることが望ましい。こうした間隔で設けられることにより、ジャケットが濡れて電極部が湿った場合であっても容易に短絡しない。内壁面１５に設けられる第１電極１６の位置と、第２部材２１の外周面２５に設けられる第２電極２６の位置とは、相互に対応した位置関係となるように設けられる。そのため、嵌め合わされた際には、電極同士が安定して接触することになる。位置は、横方向（左右方向）と縦方向（上下方向）とで一致している必要がある。第１部材１１の第１電極１６の位置は特に限定されないが、図３及び図５に示すように、第２部材２１での第２電極２６の位置に対応した位置に所定の大きさで設けられている。
【００２７】
安定して接触するためには、第１電極１６と第２電極２６のいずれか一方又は両方が、対向する側に付勢力が加わることが好ましく、その付勢力により、電極同士が良好に接触することができる。図示の例では、図３（Ｂ）及び図４（Ａ）（Ｂ）に示すように、第１電極１６が、接合部１４で電線３を接合する金属製カシメ部材と一体化させた付勢構造により、内壁面１５から少し突出させている。第１部材１１と第２部材２１とが嵌め合わされて、第１電極１６と第２電極２６とが接触すると、第１電極１６は第２電極２６に押し込まれてカシメ部材側に戻る。この戻りが、第１電極１６から第２電極２６への付勢力に抗した力となり、第１電極１６と第２電極２６との良好な接触が実現できる。
【００２８】
（接合部）
第１部材１１の接合部１４は、図４に示すように、電線３（３ａ，３ｂ，３ｃ，３ｄ）を接合する接合手段であれば特に限定されないが、例えば金属製のカシメ部材等での接合手段を好ましく挙げることができる。こうした接合部１４により、図９及び図１０に示すように、ジャケット内に縫製された布ヒータ２に電力等を供給する電線３の端部を確実に接合することができる。図４では、４つの電線３をそれぞれ接合する接合部１４が４箇所に設けられている。その接合部１４は、第１電極１６と一体化して形成されている。各接合部１４において、例えばカシメ部材は、そのいずれかの位置に、電線３が引っかかって仮止めしやすい形状（例えばギザギザ部）を備えていることが好ましい。
【００２９】
（着磁部材）
第１着磁部材１７は、図３及び図４に示すように、第１部材１１の凹部１２の反対面１３に設けられている。この第１着磁部材１７は、後述する第２着磁部材２７を着磁誘導する。こうした着磁誘導は、図２に示すように、第１部材１１に第２部材２１が嵌め合わされる際に、第２部材２１を引きつけ、所定の設置位置に誘導する用に作用するものである。第１着磁部材１７は、第２部材２１に設けられている第２着磁部材２７の種類に応じて任意に選択することができ、永久磁石であってもよいし、鉄板や鋼板等の磁性材料であってもよい。好ましい第１着磁部材１７として永久磁石を挙げることができ、その場合の第２着磁部材２７として鉄板等の磁性材料を挙げることができる。なお、永久磁石の種類は特に限定されず、大きさや磁力等を考慮して、公知の永久磁石を任意に選択して用いることができる。
【００３０】
第１着磁部材１７を設ける位置は、その着磁誘導作用を効果的に発揮できる位置であれば特に限定されないが、例えば図３及び図４に示すように、第１部材１１の反対面１３の中央付近に設けることが好ましい。第１着磁部材１７と第２着磁部材２７とによる相互に磁気吸引する作用により、第２部材２１が第１部材１１の凹部内の底部を滑るようにスライドし、第２部材２１が第１部材１１の凹部内に磁気吸引により誘導し、その後に嵌め合わされることになる。
【００３１】
＜第２部材＞
第２部材２１は、第１部材１１の凹部１２内に着脱可能に装着される部材である。その厚さは特に限定されないが、第１部材１１と同様、５ｍｍ程度の薄い部材であれば、装着時にあまり邪魔にならないので好ましい。第２部材２１は、図２に示すように、第１部材１１が有する第１着磁部材１７で引き寄せられて誘導され、第１電極１６のテーパ部１５ａに嵌め合わされることにより、一体化した電気コネクタ１０として用いられる。
【００３２】
（外形形状）
第２部材２１は、その外形形状がテーパ形状であり、外周面２５が、図２及び図５に示すように、第１部材１１の第１テーパ部１５ａと同じ又は略同じ形状の第２テーパ部２５ａを有している。その第２テーパ部２５ａは、第１部材１１の第１テーパ部１５ａに、着脱可能に嵌め合わされる。第２部材２１の第２テーパ部２５ａは、一方向に拡開するテーパ形状になっている。この第２テーパ部２５ａも、第１テーパ部１５ａと同様、図５に示すように対向する外周面２５の全部であってもよいし、図８（Ａ）（Ｂ）に示すように対向する外周面２５の上下一方の側を除く部分（一部ともいう。）に設けられていてもよい。その第２テーパ部２５ａのテーパ角度は特に限定さえないが、例えば５°〜２０°程度の範囲内が好ましい。第２テーパ部２５ａは、図５に示すように、対向する２つの外周面２５，２５の両方であってもよいが、一方の外周面２５だけであってもよい。その理由は、本発明では、拡開するテーパ部が全体形状として有することが重要であり、全体としてテーパ形状であれば、図２（Ａ）〜（Ｃ）に示すように、同じテーパ形状の第１部材１１に容易に嵌め合わさることができるためである。なお、図８（Ａ）では、第２テーパ部２５ａは下端側の平行部又は略平行部を除く部分に設けられており、図８（Ｂ）では、第２テーパ部２５ａは上端側の平行部又は略平行部を除く部分に設けられている。
【００３３】
（第２電極）
第２電極２６は、対向する外周面２５に露出して設けられている。第２電極２６の数は必要に応じて設けられるが、図５に示すように、第１部材１１の第１電極１６の数に対応した数であればよく、対向する外周面２５，２５それぞれに少なくとも各２つ設けられていることが好ましい。第２電極２６としては第１電極１６同様、例えば、ＤＣプラス電極、ＤＣマイナス電極、温度センサ用電極、及び、電源電極の少なくとも４つを好ましく挙げることができる。これら各電極により、ヒートジャケット用電気コネクタとして好ましく機能させることができる。
【００３４】
第２電極２６は、対向する外周面２５それぞれに少なくとも２つ設けられる。電極間は、第１部材１１の第１電極１６との関係と同様、一定の間隔（例えば５ｍｍ以上等）で設けられていることが望ましい。こうした間隔で設けられることにより、既述のように、ジャケットが濡れて電極部が湿った場合であっても容易に短絡しない。第２部材２１での第２電極２６の位置は特に限定されないが、図３及び図５に示すように、第１部材１１での第１電極１６の位置に対応した位置に所定の大きさで設けられている。
【００３５】
（着磁部材）
第２着磁部材２７は、図３及び図５に示すように、第２部材２１内に設けられている。第２部材２１は、第２着磁部材２７が第１着磁部材１７に引き寄せられるので、嵌め合わされた後の相対位置が同じであることが好ましい。さらに詳しくは、図５（Ｃ）に示すように、底面側（第１電極１６に装着される面の側）に設けられていることが好ましい。第２着磁部材２７は、既述の第１着磁部材１７によって着磁誘導される。第２着磁部材２７も既述のように、第１着磁部材１７の種類に応じて任意に選択することができ、永久磁石であってもよいし、鉄板や鋼板等の磁性材料であってもよい。好ましい第２着磁部材２７としては、鉄板等の磁性材料を挙げることができる。その場合の第２着磁部材２７の種類、大きさ、磁力等は任意であり、公知のものから選択して用いることができる。
【００３６】
（係合形態）
図６は、第１部材１１に設けられた窪み部３１と第２部材２１に設けられた突起部４１との係合態様の説明図である。図３及び図５に示すように、第１部材１１には、拡開した第１テーパ部１５ａにおいて、最も広い側の対向する内壁面１５に窪み部３１が設けられており、さらに最も狭い側の対向する内壁面１５にも窪み部３１が設けられている。一方、第２部材２１においても、第２テーパ部２５ａにおいて、最も広い側の対向する外周面２５に突起部４１が設けられており、さらに最も狭い側の対向する外周面２５にも突起部４１が設けられている。
【００３７】
これら窪み部３１と突起部４１については、図６に示すように、第１部材１１の窪み部３１，３１の上縁間の幅をＬ１とし、第１部材１１の窪み部３１，３１間の最大幅をＬ２とし、第２部材２１の突起部４１，４１間の最大幅をＬ３としたとき、Ｌ１＜Ｌ３、及び、Ｌ３＝Ｌ２、の関係となっていることが好ましい。こうした関係になっていることにより、第２部材２１が、図６の矢印に沿って着磁誘導されて第１部材１１の凹部１２に導入される際に、Ｌ３幅の突起部４１，４１が、Ｌ３幅より小さいＬ１幅での抵抗力を超えて押し込まれることで、Ｌ２幅の窪み部３１内に一定の強度で嵌め合わされて係合する。こうした係合形態により、第１部材１１と第２部材２１とをより強く嵌め合わせることができる。なお、「より強く」といっても、窪み部３１と突起部４１は、図３及び図５に示すように、内壁面１５や外周面２５の上下方向に延びているだけであるので、着磁部材１７，２７間の着磁力に抗して上下に引き離せば、第１部材１１と第２部材２１とを容易に離すことができる。この点でも、ヒートジャケット用電気コネクタ１０としては好ましく、例えばオートバイの転倒時等に容易に離れることになる。
【００３８】
（その他）
コントローラ２８は、着脱可能に設けられる第２部材２１の内部に設けられる。その位置は特に限定されないが、例えば図５（Ｂ）（Ｃ）の位置に好ましく設けられる。このコントローラ５は、第２部材２１の上面に設けられた操作スイッチ４２でＯＮ／ＯＦＦする際の通電制御や、例えば温度センサをジャケットに設けた場合にその温度センサからの信号を制御して通電をＯＮ／ＯＦＦ制御したり、電流をリニアに変化させる制御等を行うことができる。
【００３９】
第２部材２１の上面（表示面）には、操作スイッチ４２や表示灯４３を好ましく設けることができる。操作スイッチ４２の大きさ、形態等は特に限定されないが、人が容易に触れて押すことができるように構成されていることが好ましい。図５の例では、第２部材２１の上面の中央に設けられている。表示灯４３も、視認が容易な上面に設けられていることが好ましい。表示灯４３の大きさ、形状、個数等も特に限定されない。
【００４０】
電源コネクタ端子部２９は、第２部材２１に設けられている。この端子部は、第２部材２１内の電子回路（コントローラ２８）等への接続部分であり、図７に示すように、例えばＤＣプラグ３５を含む。そのＤＣプラグ３５がＤＣジャック３６に接続されることで、バッテリーや電源から電源をＤＣプラグ３５側に送ることができる。このように、第２部材２１は、コントローラ２８を有するがバッテリーは備えないので、第２部材２１のコントローラ２８が仮に故障したり、機能性を高めた高機能コントローラ２８に交換したい場合には、第２部材２１だけを交換することで対応でき、極めて便利である。さらに、第２部材２１は、本体部と電源コネクタ端子部２９とからなるコンパクト設計であるので、例えば、機能性のコントローラを新たに装着した第２部材２１に容易に取り替えることができる。
【００４１】
［ヒートジャケット］
本発明に係るヒートジャケット１は、図９及び図１０に示すように、布ヒータ２と、布ヒータ２を加熱するために設けられた電線３と、電線３に電力を供給して布ヒータ２を加温するための電気コネクタ１０とを少なくとも有する。この電気コネクタ１０は、上記した本発明に係るヒートジャケット用電気コネクタ１０である。
【００４２】
ヒートジャケット１への電気コネクタ１０の取り付け位置は特に限定されないが、図９に示すように、任意の位置に電気コネクタ１０を取り付けるための取付布部４を設け、その取付布部４に第１部材１１だけを取り付ける。取り付けられた第１部材１１には、第２部材２１が嵌め合わされる。こうして、一体化した電気コネクタ１０がヒートジャケット１に装着される。
【００４３】
このヒートジャケット１は、各種のジャケットとして使用できるが、オートバイ用ジャケットとすることが効果的である。オートバイでの走行は、寒さを感じるので、ジャケットに布ヒータ２を装着させることが望ましい。なお、ヒートジャケット１は、オートバイ用以外の用途のジャケットとしても好ましく応用できる。なお、オートバイは、１２Ｖ車載バッテリーを搭載しているので、そのバッテリーから電力を供給できる。また、それ以外でも、５Ｖモバイルバッテリーを電源としてもよく、その場合には、用途は問わないものとなる。いずれにおいても、本発明に係る電気コネクタ１０はバッテリーを備えないので、重さ、取り回し、操作性等の難点がない。また、電気コネクタ１０を構成する第１部材１１と第２部材２１とが着脱可能に設けられているので、例えば斜め方向の負荷が掛かった場合であっても、第１部材１１と第２部材２１との離脱は容易であり、例えばオートバイが転倒した場合のような非常時であっても第１部材１１と第２部材２１とが容易に分離でき、安全性の点で改善されている。また、ジャケット１には、第１部材１１だけを縫製すればよく、第２部材２１は縫製されないので、コントローラをヒートジャケット１に装着する作業は不要となり、出荷時の検査も第２部材２１だけで足り、ジャケット毎に検査する必要がない。
【００４４】
（布ヒータ）
布ヒータ２としては、特に限定されないが、本出願人が既に提案した伸縮性に優れる布ヒータ（特許文献１）やその他の布ヒータを好ましく適用できる。
【符号の説明】
【００４５】
１  ヒートジャケット
２  布ヒータ
２ｂ  電極部
３，３ａ，３ｂ，３ｃ，３ｄ  電線
４  取付布部
１０  ヒートジャケット用電気コネクタ
１１  第１部材
１２  凹部
１３  反対面
１４  接合部
１５  内壁面
１５ａ  第１テーパ部
１５ｂ  平行部
１６  第１電極
１７  着磁部材（永久磁石）
２１  第２部材
２５  外周面
２５ａ  第２テーパ部
２５ｂ  平行部
２６  第２電極
２７  着磁部材（磁性材料）
２８  コントローラ
２９  電源コネクタ端子部
３１  窪み部
３５  ＤＣプラグ
３６  ＤＣジャック
４１  突起部
４２  操作スイッチ
４３  表示灯
Ｌ１  第１部材の窪み部上縁間の幅
Ｌ２  第１部材の窪み部間の最大幅
Ｌ３  第２部材の突起部間の最大幅
【図１】
2020072033.tif 000003
【図２】
2020072033.tif 000004
【図３】
2020072033.tif 000005
【図４】
2020072033.tif 000006
【図５】
2020072033.tif 000007
【図６】
2020072033.tif 000008
【図７】
2020072033.tif 000009
【図８】
2020072033.tif 000010
【図９】
2020072033.tif 000011
【図１０】
2020072033.tif 000012